(57)【要約】【課題】全体を紙材で形成するとともに簡素な構造で容易かつ安価に形成でき、丸ごとリサイクル可能にして環境に配慮するとともに、ＣＤ販売（購入）の状態でそのままファイリングケースとして使用することで際立った利点を有するＣＤ収納容器を提供する。【解決手段】紙材よりなるファイル部１を背面部２と表面部３および裏面部４で形成する。表面部３と裏面部４を背面部２の両側に折り曲げ自在に設けるとともに、背面部２と表面部３と裏面部４の下部に背面部２の横幅と略同じ幅を有する折り返し片２ａ、３ａ、４ａを設ける。折り返し片２ａ、３ａ、４ａおよび表面部３と裏面部４をそれぞれ折り曲げて表面部３と裏面部４の間に、ＣＤをそれぞれ収容した紙材からなるＣＤケースを複数枚収納する収納部を形成するとともに、折り返し片２ａ、３ａ、４ａを重ね合わせて前記収納部の底部を形し、紙材からなる外箱にファイル部１を収納可能にする。【選択図】図１
0003122976.tif 000002
【実用新案登録請求の範囲】
【請求項１】
ＣＤを収納するファイル部と該ファイル部を収納する外箱からなるＣＤ収納容器において、
一側に前記ファイル部を挿入可能な開口部を設けた紙材からなる外箱と、背面部の両側に表面部と裏面部を一体に折り曲げ自在に設けるとともに、前記表面部と裏面部の少なくとも一方を前記外箱の深さと略同じ横幅に形成し他方を前記外箱の深さより短い横幅に形成し、前記背面部と表面部と裏面部のそれぞれの下部に背面部の横幅と略同じ幅を有する折り返し片を設けた紙材からなるファイル部とを備え、前記表面部と裏面部をそれぞれ折り曲げるとともに前記折り返し片をそれぞれ折り曲げて積層し、前記表面部と裏面部の間にＣＤをそれぞれ収容した紙材からなるＣＤケースを複数枚収納する収納部を形成するとともに、積層した前記折り返し片により前記収納部の底部を形成したことを特徴とするＣＤ収納容器。
【請求項２】
前記ファイル部は、背面部の縦幅に対して、表面部の縦幅を紙材の厚さ分短くし、裏面部の縦幅を紙材の厚さ分長くしたことを特徴とする請求項１記載のＣＤ収納容器。
【請求項３】
前記ファイル部の表面部は、その横幅を裏面部の横幅の略半分に形成したことを特徴とする請求項１記載のＣＤ収納容器。
【考案の詳細な説明】
【技術分野】
【０００１】
本考案は、ＣＤ−ＲやＤＶＤ−Ｒ等のＣＤをそれぞれＣＤケースに収納して複数枚を収納するＣＤ収納容器に関する。
【背景技術】
【０００２】
従来、ＣＤの収納容器には、ＣＤを収納するファイル部とこのファイル部を収納するケース部を別体とした、所謂ブックタイプのＣＤ収納容器が提案されている。
【０００３】
例えば、図７の展開図および図８の斜視図に示すように、台紙中央面３１の左右側に左突出片３２と右突出片３３を設けるとともに、上下側に蓋片３４と折り返し片３５を設けてＣＤ４２を収納する内箱４０の台紙３０を作成し、左右突出片３２，３３に形成した折り曲げ線３６ａを山折り、折り曲げ線３６ｂを谷折りして蛇腹部３７ａ，３７ｂを形成した後、折り返し片３５を蛇腹部３７ａ，３７ｂ側に折り返し、折り返し片３５の舌片３８を蛇腹部３７ａ，３７ｂの切り込み３９に挿入して蛇腹部３７ａ，３７ｂの間にＣＤ４２を収納する内箱４０を組み立てている。なお、蛇腹部３７ａ，３７ｂに切り込みを設けずに舌片３８を蛇腹部３７ａ，３７ｂに糊付け等により固定しても良いとしている。この内箱４０は、一側を開口している外箱４１に挿入される（特許文献１）。
【０００４】
しかしながら、前記内箱４０は、台紙中央面３１の左右上下側に突片を形成するとともに左右突出片３２，３３に折り曲げ線３６ａ、３６ｂを形成し、その折り曲げ線３６ａを山折りし、折り曲げ線３６ｂを谷折りした後、折り返し片３５を蛇腹部３７ａ，３７ｂに取り付けて形成されているので、内箱４０を形成する台紙３０は複雑な形状に製作され、また内箱４０の作成に数多くの手間を要するという問題があった。さらに、内箱４０内に２枚以上のＣＤ４２、例えば１０枚のＣＤ４２を収納するためには、左右突出片３２，３３にそれぞれ２２本の折り曲げ線を形成し、その折り曲げ線を交互に山折り、谷折りする必要があり、多くの枚数のＣＤ４２を収納する内箱４０を形成するには、より以上の複雑な台紙３０を製作し、かなりの手間を掛けなければならいという問題があった。
【０００５】
また、嵌合凸部を設け、この嵌合凸部にＣＤの中心孔を嵌合してＣＤを収容する透明なプラスチック材料で形成したＣＤジャケットをＣＤジャケット用ホルダーに収納し、このＣＤジャケット用ホルダーをケースに複数収納するものが提案されている。
【０００６】
例えば、図９の斜視図に示すように、ＣＤジャケット用ホルダー４５は、全体が透明なプラスチック材料で形成され、背４６を介して一体に結合されかつ両開きできる一対の向かい合ったシート状表側部分４７の内側にそれぞれ前記ＣＤジャケットを差し込めるように上方を開口したポケット４８が形成されており、このＣＤジャケット用ホルダー４５は、図１０に示すように、一側を開口した透明なプラスチック材料で形成されたケース４９に複数個（図では３個）並べて収容されるようになっている（特許文献２）。
【０００７】
しかしながら、前記ＣＤジャケット用ホルダー４５は、複雑で簡単に形成できない問題があった。また、ＣＤジャケット用ホルダー４５、ＣＤを収容するジャケットおよびケース４９は、それぞれプラスチック材料で形成されており、これを焼却処理するとＮＯＸやダイオキシン等の有害物質が発生して環境を汚染するという問題があった。
【０００８】
【特許文献１】特開平７−１３７７８０号公報
【特許文献２】実用新案登録第３０１４７３６号公報
【考案の開示】
【考案が解決しようとする課題】
【０００９】
本考案は、前記問題点に鑑みてなされたもので、全体を紙材で形成するとともに簡素な構造で容易かつ安価に形成でき、丸ごとリサイクル可能にして環境に配慮するとともに、ＣＤ販売（購入）の状態でそのままファイリングケースとして使用することで際立った利点を有するＣＤ収納容器を提供することを目的とする。
【課題を解決するための手段】
【００１０】
前記目的を達成するために、本考案の請求項１は、ＣＤを収納するファイル部と該ファイル部を収納する外箱からなるＣＤ収納容器において、一側に前記ファイル部を挿入可能な開口部を設けた紙材からなる外箱と、背面部の両側に表面部と裏面部を一体に折り曲げ自在に設けるとともに、前記表面部と裏面部の少なくとも一方を前記外箱の深さと略同じ横幅に形成し他方を前記外箱の深さより短い横幅に形成し、前記背面部と表面部と裏面部のそれぞれの下部に背面部の横幅と略同じ幅を有する折り返し片を設けた紙材からなるファイル部とを備え、前記表面部と裏面部をそれぞれ折り曲げるとともに前記折り返し片をそれぞれ折り曲げて積層し、前記表面部と裏面部の間にＣＤをそれぞれ収容した紙材からなるＣＤケースを複数枚収納する収納部を形成するとともに、積層した前記折り返し片により前記収納部の底部を形成したことを特徴とする。
【００１１】
本考案の請求項２は、請求項１において、前記ファイル部は、背面部の縦幅に対して、表面部の縦幅を紙材の厚さ分短くし、裏面部の縦幅を紙材の厚さ分長くしたことを特徴とする。
【００１２】
本考案の請求項３は、請求項１において、前記ファイル部の表面部は、その横幅を裏面部の横幅の略半分に形成したことを特徴とする。
【考案の効果】
【００１３】
請求項１の考案によれば、押し返し片をそれぞれ同じ方向に折曲するとともに表面部と裏面部を折り返し片と同じ方向に折曲することで、重なり合う折り返し片を底部とするＣＤの収納部を表面部と裏面部の間に極めて容易に形成することができる。そして、底部は３枚が折り重ねられているので、底部としての強度を増すことができる。また、前述したように形成したファイル部にＣＤを収容したＣＤケースを収納し、このファイル部を外箱に収納することで、販売にあたって極めて簡単にＣＤを収納したＣＤ収納容器を作成することができ、購入した後には、そのまま分類、整理保存できるブックタイプのファイリングケースとして利用でき、ファイリング部や外箱の背面部に収容したＣＤの内容等を表示したラベルを添付することで、更にファイリングケースとしての利用価値が向上する。さらに、ファイル部、ＣＤケースおよび外箱は、全て紙材からなっているので、分別処理を行うことなくリサイクル可能であり、例え焼却処分しても有害物質が発生しないので環境に優しく、また、ファイル部や外箱をボール紙等の厚紙にて形成することにより軽量で十分に強度が得られるとともに、ＣＤケースを表面部と裏面部の間に挟持して外箱に収納するだけの簡素な構造であり、安価に製造することが可能になる。
【００１４】
請求項２の考案によれば、表面部の折り返し片の厚さを背面部の縦幅で吸収できるとともに、背面部の折り返し片の厚さを裏面部の縦幅で吸収できるので、折り返し片を３枚重ねて底部を形成しても、常に、裏面部の折り返し片が外側に位置するとともに、表面部の折り返し片が内側に位置し、背面部の折り返し片がその間に位置する状態で折り返し片の全面が重なり合うので、折り返し片の端部が浮き上がることがなく底部としての強度を確実に得ることができるとともに外箱にファイル部を挿入する際の妨げとならず、またファイル部と外箱の底部同士が隙間なく接するので良好な外観を得ることができる。
【００１５】
請求項３の考案によれば、表面部と裏面部の間に収納しているＣＤケース内のＣＤをファイル部の表面側から見ることができるとともに、ＣＤケースの取り出しを容易に行うことできる。
【考案を実施するための最良の形態】
【００１６】
ファイル部、外箱およびＣＤケースを全て紙製とする。このことは、多くの部分が焼却、埋め立て処分されているプラスチック系と異なり、紙材においてはある程度確立されているリサイクルの実施が可能になる。また、プラスチック系は、石油の原油価格の高騰等の不安定要素があり、脱石油が望まれている現状に対応できるとともに、この脱石油を模索し、枯渇燃料である石油資源を守ることができる。
【実施例１】
【００１７】
本考案の実施例１を図１〜５に基づいて説明する。図１はＣＤ収納容器のファイル部を内部からみた状態を示す展開図、図２はファイル部の形成途中の状態を内部から見て示す斜視図、図３はファイル部における表面部を開けた状態を示す平面図、図４はＣＤを収納したファイル部を外箱に収納する状態を示す斜視図、図５はファイル部を外箱に収納した状態を示す斜視図である。
【００１８】
本実施例は、ＣＤ−ＲやＤＶＤーＲ等のＣＤをパッケージするＣＤ収納容器で、ＣＤを収納するファイル部１は、再生可能なボール紙等の紙材よりなり、背面部２の両側に表面部３と裏面部４が形成されるとともに、背面部２と表面部３および裏面部４の下部にそれぞれ折り返し片２ａ、３ａ、４ａが形成されている。なお、以下の説明にあって、縦幅とは図１において上下方向の幅とし、横幅とは水平方向の幅とするものとする。
【００１９】
表面部３と裏面部４は、図２に示すように、内側に折曲可能な折り曲げ線３ｂ、４ｂを介して背面部２の両側において一体に形成されており、折り返し片２ａ、３ａ、４ａも内側に折曲可能な折り曲げ線２ｃ、３ｃ、４ｃを介して背面部２、表面部３、裏面部４の下部において一体に形成されている。
【００２０】
表面部３は、図４に示すように、その縦幅が収納するＣＤケース５の縦幅と略同じ長さに形成され、背面部２の縦幅はファイル部１を形成する紙材の厚さ分だけ表面部３の縦幅より長く形成されるとともに、裏面部４の縦幅は背面部２の縦幅より紙材の厚さ分だけ長く形成されており、常に外側から、折り返し片４ａ、２ａ、３ａの順序で重ね合わせがなされるようになっており、その重ね合わせた際に折り返し片４ａ、２ａ、３ａが傾くことなく全面が密着し得るようになっている。
【００２１】
さらに、裏面部４の横幅は、ＣＤケース５の横幅と略同じ長さに形成され、表面部３の横幅は、裏面部４の横幅の略半分の長さに形成されている。背面部２の横幅は、ＣＤを収容するＣＤケース５の枚数に応じて決められており、例えば図４に示すように表面部３と裏面部４の間でＣＤを１２枚挟持し得る長さに形成される。
【００２２】
折り返し片２ａ、３ａ，４ａは、その横幅がそれぞれ背面部２、表面部３、裏面部４の横幅と略同じ長さに形成に形成され、その縦幅は背面部２の横幅と略同じ長さに形成されている。
【００２３】
外箱は、ファイル部１と同様な紙材で形成されており、図４，５に示すように、外箱６は、ファイル部１を収納し得る大きさの箱形（ブックタイプ）に形成され、その一面側部にファイル部１を収納可能な開口部７が形成されている。なお、図６に示すように、外箱６の開口部７の中央に円形状や台形状の切り欠き部８を形成することで、外箱６に収納したファイル部１の引き出しを容易に行うことができるようにすることができる。
【００２４】
また、図３に示すように、ＣＤを収容するＣＤケース５は、再生可能な上質紙（例えば、クラフト紙）よりなり、上部を開口した封筒形状に形成され、対向する平面の一面中央には紙パルプより生成されたグラシン紙を貼着して閉塞した円形窓部９が形成されている。
【００２５】
本実施例のＣＤ収納容器を組み立てる際には、図１の展開図に示す状態のファイル部１において、折り曲げ片２ａ、３ａ，４ａをそれぞれ折り曲げ線２ｃ、３ｃ、４ｃに沿って背面部２、表面部３、裏面部４に対して図１における紙面の表方向へ略直角に折り曲げるとともに、図２に示すように、表面部３と裏面部４を折り曲げ線３ｂ、４ｂに沿って手前に折り曲げつつ、最終的に直角に折り曲げて表面部３と裏面部４とを平行にする。このとき、折り返し片２ａ，３ａ，４ａは、背面部２、表面部３、裏面部４の縦幅の違いにより、常時、折り返し片３ａが上方（内部）に位置するとともに、折り返し片２ａが中間に位置し、折り返し片４ａが下方（外部）に位置する。そして、折り返し片３ａ、２ａ、４ａは、それぞれ表面部３、背面部２、裏面部４に対して直角な状態で互いに隙間なく当接して、折り返し片３ａ，２ａ、４ａの３枚を組み合わされたＣＤ収納部の底部が形成されて強度が増され、ファイル部１を外箱６から取り出す際にも収納したＣＤの落下を確実に防ぐことができる。
【００２６】
すなわち、図３に示すように、表面部３を立ち上げてファイル部１が開放された状態から、図４に示すように、ファイル１を閉じた状態に戻すときに、常に、裏面部４の折り返し片４ａが外側、表面部３の折り返し片３ａが内側となり、背面部２の折り返し片２ａが折り返し片４ａと３ａの間に位置することになる。このように、収納するＣＤケース５と略同じ長さを有する裏面部４の折り返し片４ａを外側にすることで、ファイル部１を外箱６に挿入する際にファイル部１の底面が外箱６の底面に引っかかることがなくなり、外箱６に対してファイル部１をスムーズに行うことができる。
【図面の簡単な説明】
【００２７】
【図１】本考案の実施例１におけるファイル部を示す展開図である。
【図２】本考案の実施例１におけるファイル部の組み立て途中の状態を示す斜視図である。
【図３】本考案の実施例１におけるファイル部の表面部を開けた状態を示す平面図である。
【図４】ＣＤを収納したファイル部を外箱に収納する状態を示す斜視図である。
【図５】ファイル部を外箱に収納した状態を示す斜視図である。
【図６】外箱の変形例を示す斜視図である。
【図７】従来技術の台紙を示す展開図である。
【図８】従来技術のＣＤ収納容器を示す斜視図である。
【図９】従来技術のＣＤジャケット用ホルダーを示す斜視図である。
【図１０】従来技術のＣＤ収納容器を示す斜視図である。
【符号の説明】
【００２８】
１    ファイル部
２    背面部
２ａ，３ａ，４ａ  折り返し片
２ｂ，３ｂ，３ｃ，４ｂ，４ｃ    折り曲げ線
３    表面部
４    裏面部
５    ＣＤケース
６    外箱
７    開口部
８    切り欠き部
９    円形窓部
【図１】
0003122976.tif 000003
【図２】
0003122976.tif 000004
【図３】
0003122976.tif 000005
【図４】
0003122976.tif 000006
【図５】
0003122976.tif 000007
【図６】
0003122976.tif 000008
【図７】
0003122976.tif 000009
【図８】
0003122976.tif 000010
【図９】
0003122976.tif 000011
【図１０】
0003122976.tif 000012